(57)【要約】【課題】ダイバーシティ受信機能を維持しつつも、複数のチューナ部の消費電力を最小限にとどめることを可能とするデジタル放送受信装置を提供する。【解決手段】Ｎ個の内蔵アンテナ１００（１）〜１００（Ｎ）と、Ｎ個のチューナ部１３０（１）〜１３０（Ｎ）と、Ｎ個の電源スイッチ部１６０（１）〜１６０（Ｎ）と、複数の個別キャリア信号を合成するキャリア合成部２０１と、キャリア信号から映像音声信号を復調する復調部２０２とを備え、ＣＰＵ２０５は個別キャリアＣ／Ｎ検出部１５０（１）〜１５０（Ｎ）と合成キャリアＣ／Ｎ検出部２０４の検出結果に基づいて復調に使用するチューナ部を選択し、選択されたチューナ部に電源を供給し、選択されなかったチューナ部への電源供給を停止するようにＮ個の電源スイッチ部１６０（１）〜１６０（Ｎ）を制御する。【選択図】図１
2012104863.tif 000002
【特許請求の範囲】
【請求項１】
デジタル放送波を受信するＮ個（Ｎは２以上の自然数）の内蔵アンテナと、
デジタル放送波を受信する外部アンテナと、
前記Ｎ個の内蔵アンテナのうちいずれか１個の内蔵アンテナからの入力と前記外部アンテナからの入力とを切り替えるアンテナ入力切替部と、
前記内蔵アンテナ及び前記アンテナ入力切替部に接続されて所定の放送チャンネルに対応した周波数の個別キャリア信号を出力するＮ個のチューナユニットと、
前記Ｎ個のチューナユニットそれぞれに電源を供給するＮ個の電源スイッチ部と、
前記Ｎ個のチューナユニットのうちの２個以上のチューナユニットから出力された個別キャリア信号を合成した合成キャリア信号を出力するキャリア合成部と、
前記個別キャリア信号または前記合成キャリア信号から映像音声信号を復調する復調部と、
前記個別キャリア信号または前記合成キャリア信号の品質評価値を検出するキャリア品質評価値検出部と、
前記キャリア品質評価値検出部の検出結果及び／または前記アンテナ入力切替部のアンテナ入力切替情報に基づいて、復調に使用する所定数のチューナユニットを選択し、前記電源スイッチ部に前記選択された所定数のチューナユニットのみに電源供給を行わせる制御部と、
を備えたことを特徴とするデジタル放送受信装置。
【請求項２】
前記制御部は、前記Ｎ個のいずれかのチューナユニットから出力される個別キャリア信号の品質評価値が所定の基準値以上である場合には、前記品質評価値が最大となる個別キャリア信号を出力するチューナユニットを復調に使用するチューナユニットとして選択することを特徴とする請求項１に記載のデジタル放送受信装置。
【請求項３】
前記制御部は、前記Ｎ個のチューナユニットのうちＭ個（Ｍは２以上、Ｎ未満の自然数）のチューナユニットからの合成キャリア信号の品質評価値を検出し、いずれかＭ個の組み合わせで、前記品質評価値が所定の基準値以上の場合には、前記Ｍ個のチューナユニットの組み合わせのなかで、前記合成キャリア信号の品質評価値が最大となる組み合わせのＭ個のチューナユニットを復調に使用するチューナユニットとして選択することを特徴とする請求項１に記載のデジタル放送受信装置。
【請求項４】
前記制御部は、前記アンテナ入力切替部が前記外部アンテナからの入力に切り替えられている場合には、前記アンテナ入力切替部に接続されているチューナユニットを復調に使用するチューナユニットとして選択することを特徴とする請求項１に記載のデジタル放送受信装置。
【請求項５】
前記アンテナ入力切替部は、外部アンテナからの入力信号を検出する信号検出機能をさらに備え、前記外部アンテナからの入力信号を検出した場合には前記外部アンテナからの入力に切り替え、前記外部アンテナからの入力信号を検出しない場合には前記内蔵アンテナからの入力に切り替えることを特徴とする請求項１に記載のデジタル放送受信装置。
【請求項６】
前記制御部は、放送受信中に定期的に前記品質評価値を監視し、前記品質評価値が所定の基準値を下回った場合には、改めて前記Ｎ個の電源スイッチ部の制御を行うことを特徴とする請求項１〜５のいずれか１項に記載のデジタル放送受信装置。
【請求項７】
前記Ｎ個の電源スイッチ部の制御情報を放送チャンネルごとに記憶する記憶部を備え、
前記制御部は、放送チャンネル選局時に前記記憶部から読み出した当該放送チャンネルの前記制御情報を用いて前記Ｎ個の電源スイッチ部を制御することを特徴とする請求項１〜６のいずれか１項に記載のデジタル放送受信装置。
【請求項８】
前記品質評価値は前記個別キャリア信号または前記合成キャリア信号のＣ／Ｎ値であることを特徴とする請求項１〜７のいずれか１項に記載のデジタル放送受信装置。
【請求項９】
デジタル放送波を受信するＮ個（Ｎは２以上の自然数）の内蔵アンテナと、デジタル放送波を受信する外部アンテナとを具備するデジタル放送受信装置におけるデジタル放送受信方法であって、
前記外部アンテナに接続されたチューナユニットのみに電源供給を行うステップと、
前記外部アンテナに接続されたチューナユニットの個別キャリア信号の品質評価値を検出するステップと、
検出された前記外部アンテナに接続されたチューナユニットの個別キャリア信号の品質評価値が所定の基準値以上の場合は、前記外部アンテナに接続されたチューナユニットでの選局動作を実施し、所定の基準値未満の場合は、前記内蔵アンテナに接続されたチューナユニットに電源供給を行うステップと、
前記内蔵アンテナに接続されたチューナユニットの個別キャリア信号の品質評価値を検出するステップと、
検出された前記内蔵アンテナに接続されたチューナユニットの個別キャリア信号の品質評価値が所定の基準値以上の場合は、当該品質評価値のうち最大品質評価値を有するチューナユニットのみで選局動作を実施するとともに当該チューナユニット以外のチューナユニットへの電源供給を停止し、所定の基準値未満の場合は、所定数のチューナユニットでの選局動作を実施するステップと、
を有することを特徴とするデジタル放送受信方法。
【発明の詳細な説明】
【技術分野】
【０００１】
本発明は、複数のアンテナを使ったダイバーシティ受信機能によって安定な放送信号受信を行うことのできる可搬型のデジタル放送受信装置及びデジタル放送受信方法に関する。
【背景技術】
【０００２】
可搬型の小型テレビジョン放送受信装置は従来から広く使用されているが、受信装置に取り付けられたロッドアンテナにより放送電波を受信するために、屋外に設置された固定アンテナによって受信する場合に比べ、十分な受信信号強度が得られにくい。そのため、再生画面も雑音が多かったり、反射波の影響でいわゆるゴースト画面になりやすく、再生映像品質に課題があった。しかし、近年、放送のデジタル化によりその課題の解消が図られている。
【０００３】
地上波デジタル放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）と呼ばれる変調方式が使用されているが、この変調方式は、多重反射伝播（いわゆるマルチパス）の環境に強く、伝送誤り率を低く抑えられるという特長がある。
【０００４】
また電波の受信強度を改善できるダイバーシティ受信という技術がある。ダイバーシティ受信とは受信条件を変えた複数のアンテナで放送電波を受信し、それらのなかから最も受信状態のよいアンテナを選択したり、複数のアンテナによる受信電波を合成することにより、１つのアンテナで受信する場合に比較して受信品質を上げる技術である。このダイバーシティ受信とＯＦＤＭを組み合わせて使用することにより、一層効果的に受信品質を上げることができる。すなわち、ダイバーシティ受信によって単に最大受信電力のアンテナを選択するのではなく、各アンテナから受信される受信レベルも遅延特性も異なる複数の電波を最適合成することによって、受信品質を大きく改善できることが知られている。実際、極めて劣悪な受信環境が想定される車載用のデジタル放送受信装置では、ダイバーシティ受信が実用的に多用されている。
【０００５】
前述したようにＯＦＤＭ変調を用いるデジタル放送の受信では、ダイバーシティ受信は大変効果が大きく、さらにその効果を高めるための多くの改善提案がなされている。例えば特許文献１では、単に各アンテナからの受信電波をそのまま合成するのではなく、アンテナの直後に設置された各チューナの特性を個別に調整することによって、合成効果を一層高めるような構成が提案されている。チューナ特性の調整とは、例えば利得の調整や、自動利得制御に用いるレベル検出の時定数の設定が上げられている。
【特許文献１】特開２００６−３１９６０８号公報
【発明の開示】
【発明が解決しようとする課題】
【０００６】
前述のように、ダイバーシティ受信は、可搬型のデジタル放送受信装置には極めて有効な受信方法であるが、受信装置の消費電力の観点では不利となる。複数アンテナからの受信電波を同時に入力し合成するために、各アンテナからの電波を増幅、及び希望チャンネルを選択するための複数のチューナ部を同時に動作させなければならず、そのために消費電力が増大する。周知の通り、テレビジョン放送受信装置におけるチューナ部は、最高７７０ＭＨｚまでのＵＨＦ帯を増幅する必要があるため、使用半導体素子に流す電流量が多くなる上に、通常はアナログ回路で構成されるため省電力が難しい。
【０００７】
近年、環境保護の立場から電気製品の消費電力低減が強く求められるなかで、ダイバーシティ受信のための消費電力増加は好ましくない。また可搬型、携帯型である製品として、電池駆動が可能であればユーザの利便性はさらに向上するが、ダイバーシティ受信のために消費電力が増加することになれば、この電池駆動とも相反することになる。
【０００８】
本発明はこのような課題を解決するためになされたものであり、ダイバーシティ受信機能を維持しつつも、複数のチューナ部の消費電力を最小限にとどめることを可能とするデジタル放送受信装置及びデジタル放送受信方法を提供することを目的とする。
【課題を解決するための手段】
【０００９】
上述の目的を達成するために、本発明の請求項１に係るデジタル放送受信装置は、デジタル放送波を受信するＮ個（Ｎは２以上の自然数）の内蔵アンテナと、デジタル放送波を受信する外部アンテナと、Ｎ個の内蔵アンテナのうちいずれか１個の内蔵アンテナからの入力と外部アンテナからの入力とを切り替えるアンテナ入力切替部と、内蔵アンテナ及びアンテナ入力切替部に接続されて所定の放送チャンネルに対応した周波数の個別キャリア信号を出力するＮ個のチューナユニットと、Ｎ個のチューナユニットそれぞれに電源を供給するＮ個の電源スイッチ部と、Ｎ個のチューナユニットのうちの２個以上のチューナユニットから出力された個別キャリア信号を合成した合成キャリア信号を出力するキャリア合成部と、個別キャリア信号または合成キャリア信号から映像音声信号を復調する復調部と、個別キャリア信号または合成キャリア信号の品質評価値を検出するキャリア品質評価値検出部と、キャリア品質評価値検出部の検出結果及び／またはアンテナ入力切替部のアンテナ入力切替情報に基づいて、復調に使用する所定数のチューナユニットを選択し、電源スイッチ部に選択された所定数のチューナユニットのみに電源供給を行わせる制御部と、を備えたことを特徴とする。
【００１０】
このような構成により、通常のダイバーシティ受信のように、すべてのアンテナを使用するのではなく、キャリア信号の品質に応じて、使用するアンテナを決定し、このアンテナに接続された所定数のチューナユニットにのみ電源を供給するようにしたので、通常のダイバーシティ受信に比較して消費電力の削減が可能となる。
【００１１】
また本発明の請求項２に係るデジタル放送受信装置は、請求項１に係るデジタル放送受信装置において、制御部は、Ｎ個のいずれかのチューナユニットから出力される個別キャリア信号の品質評価値が所定の基準値以上である場合には、品質評価値が最大となる個別キャリア信号を出力するチューナユニットを復調に使用するチューナユニットとして選択することを特徴とする。
【００１２】
このような構成により、通常のダイバーシティ受信を行うのは外部アンテナ及びすべての内蔵アンテナのうち個別キャリアＣ／Ｎの検出値が基準値を満たすものが１つもない場合のみである。１つでも基準値を満たすものがある場合には、そのアンテナに接続されたチューナユニットのみに電源を供給してその出力キャリアを復調に使用し、他のアンテナに接続されたチューナユニットの電源はすべてオフとするので、通常のダイバーシティ受信に比較して消費電力の削減が可能となる。
【００１３】
また本発明の請求項３に係るデジタル放送受信装置は、請求項１に係るデジタル放送受信装置において、制御部は、Ｎ個のチューナユニットのうちＭ個（Ｍは２以上、Ｎ未満の自然数）のチューナユニットからの合成キャリア信号の品質評価値を検出し、いずれかＭ個の組み合わせで、品質評価値が所定の基準値以上の場合には、Ｍ個のチューナユニットの組み合わせのなかで、合成キャリア信号の品質評価値が最大となる組み合わせのＭ個のチューナユニットを復調に使用するチューナユニットとして選択することを特徴とする。
【００１４】
このような構成により、Ｎ個の内蔵アンテナのキャリアＣ／Ｎがいずれも基準値を満たさない場合に、Ｎ個すべての内蔵アンテナのキャリアを合成するのではなく、Ｍ個のアンテナの組み合わせでキャリアを合成し、いずれかの組み合わせの合成キャリアＣ／Ｎが基準値を満たせば、その組み合わせの合成キャリアで放送受信を行い、その他の内蔵アンテナに接続されたチューナユニットの電源をオフする。これにより、Ｎ個全部のアンテナを使う通常のダイバーシティ受信に比較して消費電力の削減が可能となる。
【００１５】
また本発明の請求項４に係るデジタル放送受信装置は、請求項１に係るデジタル放送受信装置において、制御部は、アンテナ入力切替部が外部アンテナからの入力に切り替えられている場合には、アンテナ入力切替部に接続されているチューナユニットを復調に使用するチューナユニットとして選択することを特徴とする。
【００１６】
このような構成により、外部アンテナ接続が有る場合には、内蔵アンテナによるダイバーシティ受信を行わず、外部アンテナからの外部ＲＦ入力信号のみが復調に使用される。したがって、外部アンテナに接続されたチューナユニット以外のチューナユニットの電源をオフにすることができるので消費電力を下げることができるとともに、外部ＲＦ入力信号を使用するので安定な受信が可能となる。
【００１７】
また本発明の請求項５に係るデジタル放送受信装置は、請求項１に係るデジタル放送受信装置において、アンテナ入力切替部は、外部アンテナからの入力信号を検出する信号検出機能をさらに備え、外部アンテナからの入力信号を検出した場合には外部アンテナからの入力に切り替え、外部アンテナからの入力信号を検出しない場合には内蔵アンテナからの入力に切り替えることを特徴とする。
【００１８】
このような構成により、外部ＲＦ入力信号を検出して外部ＲＦ入力信号がある場合のみ自動的に外部アンテナを選択するようにしたので、ユーザが入力切り替え操作を行う必要がない。また、外部ＲＦ入力信号がないのに誤って外部アンテナを選択することもない。
【００１９】
また本発明の請求項６に係るデジタル放送受信装置は、請求項１〜５のいずれか１項に係るデジタル放送受信装置において、制御部は、放送受信中に定期的に品質評価値を監視し、品質評価値が所定の基準値を下回った場合には、改めてＮ個の電源スイッチ部の制御を行うことを特徴とする。
【００２０】
このような構成により、放送電波の受信中にダイバーシティ受信のキャリアＣ／Ｎを定期的に評価しているので、デジタル放送受信装置の放送電波の受信状況が変化した場合でも、消費電力を削減しつつ受信品質を確保することができる。
【００２１】
また本発明の請求項７に係るデジタル放送受信装置は、請求項１〜６のいずれか１項に係るデジタル放送受信装置において、Ｎ個の電源スイッチ部の制御情報を放送チャンネルごとに記憶する記憶部を備え、制御部は、放送チャンネル選局時に記憶部から読み出した当該放送チャンネルの制御情報を用いてＮ個の電源スイッチ部を制御することを特徴とする。
【００２２】
このような構成により、放送電波の受信中に受信チャンネルを変更した場合でも、ダイバーシティ受信制御の過去の制御情報を利用するので確実、迅速に最適なダイバーシティ受信の設定が可能となる。また、制御情報はＲＡＭ等の揮発性メモリに記憶するようにすれば、ユーザが主電源を切ってデジタル放送受信装置を他の場所へ移動させた場合にも、不適切な制御情報を使用することがない。
【００２３】
また本発明の請求項８に係るデジタル放送受信装置は、請求項１〜７のいずれか１項に係るデジタル放送受信装置において、品質評価値は個別キャリア信号または合成キャリア信号のＣ／Ｎ値であることを特徴とする。このような構成により、キャリア信号の品質を正確に評価することができる。
【００２４】
本発明の請求項９に係るデジタル放送受信方法は、デジタル放送波を受信するＮ個（Ｎは２以上の自然数）の内蔵アンテナと、デジタル放送波を受信する外部アンテナとを具備するデジタル放送受信装置におけるデジタル放送受信方法であって、外部アンテナに接続されたチューナユニットのみに電源供給を行うステップと、外部アンテナに接続されたチューナユニットの個別キャリア信号の品質評価値を検出するステップと、検出された外部アンテナに接続されたチューナユニットの個別キャリア信号の品質評価値が所定の基準値以上の場合は、外部アンテナに接続されたチューナユニットでの選局動作を実施し、所定の基準値未満の場合は、内蔵アンテナに接続されたチューナユニットに電源供給を行うステップと、内蔵アンテナに接続されたチューナユニットの個別キャリア信号の品質評価値を検出するステップと、検出された内蔵アンテナに接続されたチューナユニットの個別キャリア信号の品質評価値が所定の基準値以上の場合は、当該品質評価値のうち最大品質評価値を有するチューナユニットのみで選局動作を実施するとともに当該チューナユニット以外のチューナユニットへの電源供給を停止し、所定の基準値未満の場合は、所定数のチューナユニットでの選局動作を実施するステップと、を有することを特徴とする。
【発明の効果】
【００２５】
本発明によれば、ダイバーシティ受信機能を維持しつつも、複数のチューナ部の消費電力を最小限にとどめることを可能とするデジタル放送受信装置及びデジタル放送受信方法を提供することができる。
【発明を実施するための最良の形態】
【００２６】
以下、本発明の実施の形態におけるデジタル放送受信装置について、図面を参照しながら説明する。
【００２７】
（第１の実施の形態）
図１は本発明におけるデジタル放送受信装置の構成を示すブロック図である。図１に示すように、デジタル放送受信装置はＮ個の内蔵アンテナ１００（１）〜１００（Ｎ）と、Ｎ個のチューナユニット１７０（１）〜１７０（Ｎ）と、キャリア合成部２０１と、復調部２０２と、映像音声デコーダ部２０３と、合成キャリア品質評価値検出部としての合成キャリアＣ／Ｎ検出部２０４と、制御部としてのＣＰＵ２０５と、システムバス２０６と、記憶部としてのＲＡＭ２０７と、外部アンテナ接続端子１２１と、アンテナ入力切替部１２２を備えている。またチューナユニット１７０（１）は、チューナ部１３０（１）と、キャリアスイッチ部１４０（１）と、個別キャリア品質評価値検出部としての個別キャリアＣ／Ｎ検出部１５０（１）と、電源スイッチ部１６０（１）とから構成されている。その他のチューナユニット１７０（２）〜１７０（Ｎ）も同様の構成である。
【００２８】
Ｎ個の内蔵アンテナ１００（１）〜１００（Ｎ）で受信された放送電波は、それぞれチューナ部１３０（１）〜１３０（Ｎ）に入力される。内蔵アンテナ１００（１）〜１００（Ｎ）はダイバーシティ受信のために用意されたものであるので、デジタル放送受信装置内で、適当な間隔をあけて配置され、しばしば指向性も変えて設置される。チューナ部１３０（１）〜１３０（Ｎ）は、受信した放送電波を増幅するとともに、ユーザが選局した結果に基づいて希望の放送チャンネルを選択的に取り出し、選局後の所定の周波数のキャリア信号（以下、単に「キャリア」ともいう）として出力する。後段での処理のしやすさ等を考慮して、いわゆる中間周波数に変換して出力するのが一般的である。また、Ｎの具体的な値は製品の価格等を考慮して決定されるが、実用的には２〜４個程度が好ましい。
【００２９】
ここでＮ番目のチューナ部１３０（Ｎ）には内蔵アンテナ１００（Ｎ）に加えて、外部アンテナ１１０を接続できるように外部アンテナ接続端子１２１が用意されている。内蔵アンテナ１００（Ｎ）と外部アンテナ１１０のいずれをチューナ部１３０（Ｎ）の入力として用いるかは、アンテナ入力切替部１２２によって切り替えられる。この切り替えは、ユーザがデジタル放送受信装置に対してリモコンや本体操作部で電子的に行ってもよいし、簡易的にはアンテナ入力切替部１２２に機械的なスイッチ機構を設けて、ユーザが手動で機械的に切り替えてもよい。
【００３０】
外部アンテナ１１０は通常、家屋の屋根やビルの屋上に設置されるので、受信環境に優れ、内蔵アンテナ１００（１）〜１００（Ｎ）に比べると安定した放送電波の受信を行うことができる。ユーザがＣＡＴＶに加入していれば、外部アンテナ接続端子１２１にＣＡＴＶの引き込み信号を接続することも可能である。
【００３１】
チューナ部１３０（１）〜１３０（Ｎ）の出力キャリアは、それぞれキャリアスイッチ部１４０（１）〜１４０（Ｎ）に入力される。キャリアスイッチ部１４０（１）〜１４０（Ｎ）は各チューナ部からの出力キャリアを、ダイバーシティ合成に用いるかどうかを制御するために設けられており、機能的にはキャリアの導通、遮断を行う高周波スイッチである。
【００３２】
またチューナ部１３０（１）〜１３０（Ｎ）の出力キャリアは、それぞれ個別キャリアＣ／Ｎ検出部１５０（１）〜１５０（Ｎ）にも入力される。個別キャリアＣ／Ｎ検出部１５０（１）〜１５０（Ｎ）では、それぞれのチューナ部１３０（１）〜１３０（Ｎ）からの出力キャリアが、デジタル放送の受信に十分な品質を有しているかどうかをキャリアのＣＮＲ（Ｃａｒｒｉｅｒ  ｔｏ  Ｎｏｉｓｅ  Ｒａｔｉｏ：以下、「Ｃ／Ｎ」と表記する）を検出して評価する。具体的には、あらかじめ定めた所定の基準値と比較して判定する。なお、このキャリア品質を評価するパラメータとしては簡易的には各キャリアの信号強度等でもよい。Ｎ個のキャリアスイッチ部１４０（１）〜１４０（Ｎ）の出力キャリアはキャリア合成部２０１に入力され、キャリア合成（キャリア加算）される。合成されたキャリアは復調部２０２、映像音声デコーダ部２０３を経由して映像出力、音声出力として取り出される。
【００３３】
復調部２０２は、デジタル変調された放送信号のキャリアを復調する動作を行うものであり、デジタル放送に利用されているデジタル変調、例えば多値のＱＡＭ（Ｑｕａｄｒａｔｕｒｅ  Ａｍｐｌｉｔｕｄｅ  Ｍｏｄｕｌａｔｉｏｎ）やＯＦＤＭの復調を行う。
【００３４】
また映像音声デコーダ部２０３は、復調部２０２で復調されビットストリームとなった復調データを映像、音声信号に再生する処理を行う。映像音声デコーダ部２０３の具体的な構成例を図２に示す。図２に示すように、入力されたビットストリームは、まず誤り訂正部２３１で放送受信時の伝送誤りが訂正された後、ＴＳ（Ｔｒａｎｓｐｏｒｔ  Ｓｔｒｅａｍ）デコーダ部２３２でＴＳ信号中から必要な映像、音声情報が抽出される。最後にＡＶデコーダ部２３３において、ＭＰＥＧ（Ｍｏｖｉｎｇ  Ｐｉｃｔｕｒｅ  Ｅｘｐｅｒｔｓ  Ｇｒｏｕｐ）２等の圧縮データの復号及び必要に応じてＤ／Ａ変換が施され、外部で利用可能な信号形態に変換されて出力される。
【００３５】
キャリア合成部２０１で合成された合成キャリアは合成キャリアＣ／Ｎ検出部２０４にも入力され、合成キャリアのＣ／Ｎが検出され、検出された合成キャリアＣ／ＮはＣＰＵ２０５に取り込まれてデジタル放送の受信に十分な品質を有しているかどうかが評価される。評価は個別キャリアＣ／Ｎ検出部１５０（１）〜１５０（Ｎ）と同じで、合成キャリアＣ／Ｎを、あらかじめ定めた所定の基準値と比較して行われる。
【００３６】
ＣＰＵ２０５は、個別キャリアＣ／Ｎ検出部１５０（１）〜１５０（Ｎ）及び合成キャリアＣ／Ｎ検出部２０４の検出結果を取得し、ダイバーシティ受信に使用するアンテナ及びチューナ部を決定し、各チューナユニット１７０（１）〜１７０（Ｎ）への電源供給を制御する。各チューナユニット１７０（１）〜１７０（Ｎ）にはそれぞれ電源スイッチ部１６０（１）〜１６０（Ｎ）が設置されており、ＣＰＵ２０５からの制御をシステムバス２０６経由で受取り、該当するチューナユニットへの電源を供給（オン）または停止（オフ）する。この仕組みによって、必要なチューナユニットのみに電源が供給されるので、デジタル放送受信装置の消費電力の低減が可能となる。
【００３７】
なお、各チューナユニット１７０（１）〜１７０（Ｎ）内のチューナ部１３０（１）〜１３０（Ｎ）、キャリアスイッチ部１４０（１）〜１４０（Ｎ）、個別キャリアＣ／Ｎ検出部１５０（１）〜１５０（Ｎ）、電源スイッチ部１６０（１）〜１６０（Ｎ）には、いずれもシステムバス２０６から制御信号が与えられ、また逆にシステムバス２０６に内部情報を送出するが、図１では便宜上それぞれに対して個別に制御線を記載せず、チューナユニット全体に対して１本の制御線を記載している。
【００３８】
次に、本実施の形態におけるデジタル放送受信装置の動作について図３を用いて説明する。図３は本実施の形態のデジタル放送受信装置におけるダイバーシティ受信制御の処理の流れを示すフローチャートである。まずステップＳ１０１でユーザの選局操作による選局や予約実行による選局及び番組情報蓄積のための選局等、デジタル放送受信機の一連の選局動作において、ＣＰＵ２０５はユーザによる、アンテナ入力切替部１２２の設定状態を読み取る。ユーザがデジタル放送受信装置に対してリモコンや本体操作部で電子的に設定を行った場合は、設定値が記憶された不揮発性メモリ等の記憶部（図示せず）の内容を読み取ることになり、アンテナ入力切替部１２２に機械的なスイッチ機構を取り付けて、ユーザが手動で機械的に切り替え操作をする場合には、その機械的な位置を検出することによってアンテナ選択の設定を検出できる。
【００３９】
ステップＳ１０１で外部アンテナ１１０が設定されていることを検出した場合は、ステップＳ１０２でアンテナ入力切替部１２２によって外部アンテナ１１０からの外部ＲＦ（Ｒａｄｉｏ  Ｆｒｅｑｕｅｎｃｙ）入力を選択する。外部アンテナ１１０が接続されている場合には、必ず外部アンテナ１１０を使用するという条件にすれば、Ｎ番目のチューナユニット１７０（Ｎ）のみが動作すればよいので、ステップＳ１０３でＮ番目以外のチューナユニット１７０（１）〜１７０（Ｎ−１）の電源をオフし、引き続きステップＳ１０４でＮ番目のチューナユニット１７０（Ｎ）の電源をオンする。これらの動作はＣＰＵ２０５からの指示を受けて、電源スイッチ部１６０（１）〜１６０（Ｎ）が実行する。
【００４０】
次に、ステップＳ１０５で、Ｎ番目のチューナユニット１７０（Ｎ）のキャリアスイッチ部１４０（Ｎ）のみオンしてキャリア合成部２０１を非合成の設定にする。この場合には、チューナユニット１７０（Ｎ）からの出力キャリアのみが復調部２０２で復調に使用される。この動作はＣＰＵ２０５からの指示を受けて、キャリアスイッチ部１４０（１）〜１４０（Ｎ）が実行する。
【００４１】
電源スイッチ部１６０（１）〜１６０（Ｎ）及びキャリアスイッチ部１４０（１）〜１４０（Ｎ）が所定の制御を受けると、ステップＳ１０６で選局処理が実施され所望の放送チャンネルの受信処理が開始される。具体的には、復調部２０２、及び映像音声デコーダ部２０３の動作が開始される。なお、ここでいう選局処理とは、単に選局のみでなくチューナ部１３０（１）〜１３０（Ｎ）の各種パラメータ（フィルタ定数等）の変更処理も含むものとする。
【００４２】
一方、ステップＳ１０１で内蔵アンテナが設定されていることを検出すると、ステップＳ１１２でアンテナ入力切替部１２２によって内蔵アンテナ１００（Ｎ）からの入力を選択する。
【００４３】
内蔵アンテナのみで受信する場合には、通常のダイバーシティ受信（すべての内蔵アンテナを使用した受信）を行わせるので、ステップＳ１１３ですべてのチューナユニット１７０（１）〜１７０（Ｎ）の電源をオンにする。その後ステップＳ１１４で、すべてのキャリアスイッチ部１４０（１）〜１４０（Ｎ）をオンにしてキャリア合成部２０１が全キャリアを合成する設定にする。以上の制御が終了した後に、ステップＳ１０６で選局処理が実施され所望の放送チャンネルの受信処理が開始されて処理が終了する。
【００４４】
以上の処理フローとほぼ同様であるが、アンテナ入力選択の設定をユーザの設定情報で行うのではなく、外部アンテナ接続端子１２１に外部アンテナ１１０が接続されたかどうか、すなわち外部ＲＦ信号が入力されたかどうかを自動検出して、その検出結果を用いてダイバーシティ受信制御を行うのが図４に示す方法である。図４においてステップＳ１２１で、外部アンテナ接続端子１２１に外部アンテナ接続が有る場合はステップ１０２に移り、外部アンテナ接続がない場合はステップＳ１１２に移る。以降の処理フローは図３と同じである。
【００４５】
このように本実施の形態におけるデジタル放送受信装置によれば、外部アンテナ接続が有る場合には、内蔵アンテナによるダイバーシティ受信を行わず、外部アンテナからの外部ＲＦ入力信号のみが復調に使用される。したがって、外部アンテナに接続されたチューナユニット以外のチューナユニットの電源をオフにすることができるので消費電力を下げることができるとともに、外部ＲＦ入力信号を使用するので安定な受信が可能となる。さらに、外部ＲＦ入力信号を検出して外部ＲＦ入力信号がある場合のみ自動的に外部アンテナを選択するようにしたので、ユーザが入力切り替え操作を行う必要がない。また、外部ＲＦ入力信号がないのに誤って外部アンテナを選択することもない。
【００４６】
（第２の実施の形態）
次に、本発明の第２の実施の形態におけるデジタル放送受信装置について、図５を用いて説明する。図５は本実施の形態のデジタル放送受信装置におけるダイバーシティ受信制御の処理の流れを示すフローチャートである。本実施の形態のデジタル放送受信装置は、まず外部アンテナのみで十分な受信品質が得られないかを調べ、十分な受信品質が得られれば外部アンテナで受信し、もしそれが不十分ならいずれか１個の内蔵アンテナで十分な品質が得られないかを調べ、これで十分な受信品質が得られればこの内蔵アンテナで受信し、そしてそれも不十分なら最後に通常の全内蔵アンテナによるダイバーシティ受信を行うものである。
【００４７】
まずステップＳ２０２でアンテナ入力切替部１２２を外部アンテナ入力側に切り替えて、Ｎ番目のチューナユニット１７０（Ｎ）の入力として外部アンテナ１１０からの外部ＲＦ入力信号を選択する。続いてステップＳ２０３で１〜（Ｎ−１）番目のチューナユニット１７０（１）〜１７０（Ｎ−１）の電源をオフし、ステップＳ２０４でＮ番目のチューナユニット１７０（Ｎ）の電源をオンした後、ステップＳ２０５でＮ番目のチューナユニット１７０（Ｎ）のキャリアスイッチ部１４０（Ｎ）のみをオンにしてキャリア合成部２０１を非合成に設定し、チューナユニット１７０（Ｎ）からの出力キャリアを復調部２０２で使用するようにする。
【００４８】
ステップＳ２０６で、選局処理を行った後、ステップＳ２０７でＮ番目のチューナユニット１７０（Ｎ）の個別キャリアＣ／Ｎ検出部１５０（Ｎ）で個別キャリアＣ／Ｎを検出し、検出した個別キャリアＣ／Ｎが基準値以上であれば、放送受信を開始し、処理を終了する。
【００４９】
ステップＳ２０７で検出した個別キャリアＣ／Ｎが基準値に達していなければ、ステップＳ２１１でＮ番目のチューナユニット１７０（Ｎ）のアンテナ入力として内蔵アンテナ１００（Ｎ）を選択し、ステップＳ２１２ですべてのチューナユニット１７０（１）〜１７０（Ｎ−１）の電源をオンする（チューナユニット１７０（Ｎ）の電源はすでにステップＳ１０４でオンになっている）。次にステップＳ２１３で選局処理を行った後に、ステップＳ２１４で、各チューナユニット１７０（１）〜１７０（Ｎ）の個別キャリアＣ／Ｎ検出部１５０（１）〜１５０（Ｎ）で個別キャリアＣ／Ｎを検出し、１つでも基準値を満足するものがあるかどうかを調査する。基準値を満足するものが１つでもあれば、ステップＳ２１５に移り、最大のＣ／Ｎを得るチューナユニット以外のチューナユニットは電源をオフするように電源スイッチ部１６０（１）〜１６０（Ｎ）を制御した後、ステップＳ２１６で最大のＣ／Ｎを得るチューナユニットのキャリアスイッチのみをオンするようにキャリアスイッチ部１４０（１）〜１４０（Ｎ）を制御し、キャリア合成部２０１を非合成に設定する。その後に、放送受信を開始し処理を終了する。
【００５０】
一方、ステップＳ２１４で個別キャリアＣ／Ｎがいずれも基準値未満であれば、ステップＳ２２１に移り、キャリアスイッチ部１４０（１）〜１４０（Ｎ）をオンにし、キャリア合成部２０１をすべてのチューナユニット１７０（１）〜１７０（Ｎ）の出力キャリアを合成するように設定する。その後ステップＳ２２２に移り、再度選局処理を実行して、チューナ部１３０（１）〜１３０（Ｎ）の各種パラメータをチューニングした後に、放送受信を開始し処理を終了する。なお、複数の個別キャリアＣ／Ｎのなかから最大のものを選ぶためには、検出した複数の個別キャリアＣ／Ｎを一旦保存する必要があるが、このためにＲＡＭ２０７が用いられる。
【００５１】
このように本実施の形態におけるデジタル放送受信装置によれば、通常のダイバーシティ受信を行うのは外部アンテナ及びすべての内蔵アンテナのうち個別キャリアＣ／Ｎの検出値が基準値を満たすものが１つもない場合のみである。１つでも基準値を満たすものがある場合には、そのアンテナに接続されたチューナユニットのみに電源を供給してその出力キャリアを復調に使用し、他のアンテナに接続されたチューナユニットの電源はすべてオフとするので、通常のダイバーシティ受信に比較して消費電力の削減が可能となる。
【００５２】
（第３の実施の形態）
次に、本発明の第３の実施の形態におけるデジタル放送受信装置について、図６及び図７を用いて説明する。図６及び図７は本実施の形態のデジタル放送受信装置におけるダイバーシティ受信制御の処理の流れを示すフローチャートである。本実施の形態では、説明の都合上、Ｎ＝４としている。本実施の形態のデジタル放送受信装置は、４個の内蔵アンテナのなかから２個の内蔵アンテナを選択してダイバーシティ受信するものであり、第２の実施の形態と同様に、検出した合成キャリアＣ／Ｎのなかから最大のものを選ぶために、検出した複数の合成キャリアＣ／ＮをＲＡＭ２０７に一旦保存する。
【００５３】
図６におけるステップＳ２０２〜Ｓ２１６は、図５と同じ処理である。すなわち、ステップＳ２０２〜Ｓ２０７では、外部アンテナ１１０で十分な受信品質が得られるかどうかを調べ、個別キャリアＣ／Ｎが基準値以上であれば外部アンテナ１１０に接続したチューナユニット１７０（４）のみに電源を供給して放送受信を開始する。また外部アンテナ１１０で十分な受信品質が得られなかった場合（個別キャリアＣ／Ｎが基準値未満の場合）は、ステップＳ２１１〜Ｓ２１６で、いずれかの内蔵アンテナ１個で十分な受信品質が得られるかどうかを調べ、内蔵アンテナ１個でもその個別キャリアＣ／Ｎが基準値を満足していれば、そのなかで個別キャリアＣ／Ｎが最大の内蔵アンテナに接続したチューナユニットのみに電源を供給して放送受信を開始する。そして、それ以外のチューナユニットの電源はすべてオフする。
【００５４】
ステップＳ２１４において、いずれのチューナユニットでも個別キャリアＣ／Ｎが基準値を上回らなければ、図７のステップＳ３０１に移る。ステップＳ３０１〜Ｓ３２１は、４個の内蔵アンテナのうちの２個の内蔵アンテナの合成キャリアＣ／Ｎが基準値を上回るかどうかを調べ、上回るものがあれば、該当するチューナユニットにのみ電源を供給する動作を実現している。４個の内蔵アンテナから２個の内蔵アンテナを選択する組み合わせは、６通り存在するが、説明の簡略化のために、内蔵アンテナ１００（１）、１００（２）の組み合わせを選ぶ場合と、内蔵アンテナ１００（３）、１００（４）の組み合わせを選ぶ場合の２通りを候補とする。
【００５５】
ステップＳ３０１でチューナユニット１７０（３）、１７０（４）の電源をオフする。ステップＳ３０１に入る前にすべてのチューナユニット１７０（１）〜１７０（４）は電源オンされているので、チューナユニット１７０（１）、１７０（２）が電源オン状態で残っている。ステップＳ３０２でキャリアスイッチ部１４０（１）、１４０（２）をオンにしステップＳ３０３で選局処理をした後に、キャリア合成部２０１でチューナユニット１７０（１）、１７０（２）の出力キャリアのみを合成し、ステップＳ３０４で合成キャリアＣ／Ｎ検出部２０４は、その合成キャリアＣ／Ｎを検出する。この結果、合成キャリアＣ／Ｎが基準値を上回っていれば、ステップＳ３０５でその検出した合成キャリアＣ／Ｎの数値をＲＡＭ２０７に保存する。
【００５６】
次にＳ３０６〜Ｓ３１１では、今度はチューナユニット１７０（３）、１７０（４）について同様のことを行う。ステップＳ３１０でチューナユニット１７０（３）、１７０（４）の合成キャリアＣ／Ｎも基準値を上回ったと判定された場合は、ステップＳ３１１で合成キャリアＣ／ＮがＲＡＭ２０７に保存される。次にステップＳ３１２でＲＡＭ２０７に保存された２種類の合成キャリアＣ／Ｎが読み出されて比較され、合成キャリアＣ／Ｎの大きい方の組み合わせが選ばれる。チューナユニット１７０（３）、１７０（４）の合成キャリアＣ／Ｎの方が大きい場合には、その時点ですでにチューナユニット１７０（３）、１７０（４）に電源が供給されており選局処理も終わっているので、すぐに放送受信を開始して処理を終了する。逆にチューナユニット１７０（１）、１７０（２）の合成キャリアＣ／Ｎの方が大きい場合には、ステップＳ３１３〜Ｓ３１６で、電源スイッチ及びキャリアスイッチの制御が行われた後、選局処理を行って、放送受信を開始し処理を終了する。
【００５７】
一方、ステップＳ３０４で、チューナユニット１７０（１）、１７０（２）の合成キャリアＣ／Ｎが基準値を下回った場合は、ステップＳ３１７〜Ｓ３２１で、チューナユニット１７０（３）、１７０（４）の合成キャリアＣ／Ｎが基準値を上回るかどうかを調べる。上回った場合は、そのままチューナユニット１７０（３）、１７０（４）の合成キャリアを用いて放送受信を開始し処理を終了する。チューナユニット１７０（３）、１７０（４）の合成キャリアＣ／Ｎも基準値を下回った場合は、ステップＳ４０１〜Ｓ４０３により全チューナユニット１７０（１）〜１７０（４）に電源を供給し、それらの合成キャリアで放送受信を開始し処理を終了する。
【００５８】
このように本実施の形態のデジタル放送受信装置によれば、４個の内蔵アンテナのキャリアＣ／Ｎがいずれも基準値を満たさない場合に、４個すべての内蔵アンテナのキャリアを合成するのではなく、まず２個のアンテナの組み合わせでキャリアを合成し、いずれかの組み合わせの合成キャリアＣ／Ｎが基準値を満たせば、その組み合わせの合成キャリアで放送受信を行い、他の２個の内蔵アンテナに接続されたチューナユニットの電源をオフする。これにより、４個全部のアンテナを使う通常のダイバーシティ受信に比較して消費電力の削減が可能となる。
【００５９】
（第４の実施の形態）
次に、本発明の第４の実施の形態におけるデジタル放送受信装置について、図８を用いて説明する。図８は本実施の形態のデジタル放送受信装置におけるダイバーシティ受信制御の処理の流れを示すフローチャートである。本実施の形態のデジタル放送受信装置は、例えば放送受信中に電波環境が変化して受信電波の状況が変化した場合でも、ダイバーシティ受信制御をその受信電波の状況に追随させて変化させ、常に安定に放送を受信するものである。
【００６０】
図８において、まずステップＳ５０１でアンテナ入力切替部１２２のユーザ設定状態を調べて、外部アンテナ１１０が選択されている場合はステップＳ５０２で外部アンテナ１１０が接続されているチューナユニット１７０（Ｎ）の個別キャリアＣ／Ｎ検出部１５０（Ｎ）が個別キャリアＣ／Ｎを検出する。また内蔵アンテナが選択されている場合はステップＳ５０３で単一のチューナユニットにのみ電源が供給されているか、全チューナユニット１７０（１）〜１７０（Ｎ）に電源が供給されているかを検出し、電源供給されているのが単一チューナユニットであればステップＳ５０４で該当するチューナユニットの個別キャリアＣ／Ｎを、また電源供給されているのが全チューナユニット１７０（１）〜１７０（Ｎ）の場合にはステップＳ５０５で合成キャリアＣ／Ｎを検出する。そして、それらが基準値を上回っていれば、何も処理を行わずそのまま処理を終了し、ステップＳ５０７で一定時間待機した後に、また最初に戻って、次の機会の確認に移る。
【００６１】
一方、現時点で選択されているチューナユニットのキャリアＣ／Ｎまたは合成キャリアＣ／Ｎが、ステップＳ５０２、Ｓ５０４あるいはステップＳ５０５で基準値を下回っていれば、ステップＳ５０６に移り、アンテナ選択を改めて行う。ステップＳ５０６は図５のフローチャートに従った処理フローである。前述したように、図５の処理フローを通すことにより、外部アンテナの使用、内蔵アンテナのいずれか１個の使用、内蔵アンテナすべての使用、の順にキャリア品質を保てる選択結果を再度選べるので、電波状況が変わった場合でも受信品質を回復することができる。
【００６２】
図８のフローチャートの一部変形フローが図９のフローチャートである。図８のフローチャートと異なる点を述べる。ステップＳ６０１は図８におけるステップＳ５０３同様に、電源がオンされているチューナユニットの数を検出する処理であるが、図８の場合は、１個か全部（Ｎ個）であったが、図９では、１個か２個以上の複数個となる。図７のフローチャートにおいて述べたように、１個か全部（Ｎ個）かの間にＭ個（Ｍは２以上、Ｎ未満）の場合も想定している。したがって、ステップＳ６０３も図８でのステップＳ５０５のようにすべてのチューナユニット１７０（１）〜１７０（Ｎ）による合成キャリアの評価だけでなく、Ｍ個の場合も想定した処理としている。
【００６３】
また当然ながら、電波状況が変わった場合の受信品質回復のステップＳ６０４も、図６、図７に示したように細分化した回復処理となる。すなわち、外部アンテナの場合、内蔵アンテナ１個の場合、内蔵アンテナＭ個の場合（図７では２個で説明）、そして内蔵アンテナすべての場合（図７では４個で説明）に対応している。
【００６４】
このように本実施の形態のデジタル放送受信装置によれば、放送電波の受信中にダイバーシティ受信の品質評価値（キャリアＣ／Ｎ）を定期的に評価しているので、デジタル放送受信装置の放送電波の受信状況が変化した場合でも、消費電力を削減しつつ受信品質を確保することができる。
【００６５】
（第５の実施の形態）
次に、本発明の第５の実施の形態におけるデジタル放送受信装置について、図１０及び図１１を用いて説明する。図１０は本実施の形態のデジタル放送受信装置におけるダイバーシティ受信制御の処理の流れを示すフローチャートである。本実施の形態のデジタル放送受信装置は、例えば一旦決定したダイバーシティ受信制御の制御情報を受信チャンネルとともにＲＡＭ２０７に保存しておき、次回から同じ放送チャンネルを受信した時にはＲＡＭ２０７に保存された制御情報を読み出して利用することにより、制御応答性を高めるものである。
【００６６】
一般的には、希望する放送チャンネルごとに使用するアンテナの組み合わせが異なり、受信チャンネルと使用アンテナ（使用チューナユニット）の制御結果の組み合わせは、例えば図１１のようになる。１〜１０チャンネルの各放送チャンネルに対して、受信するアンテナが定まり、その結果、電源をオンするチューナユニットが定まる。図１１の例では、６チャンネルと８チャンネルでは全内蔵アンテナ１００（１）〜１００（Ｎ）を使用、１チャンネルと４チャンネルと９チャンネルでは２個の内蔵アンテナを使用、３チャンネルと１０チャンネルでは１個の内蔵アンテナを使用、２チャンネルと５チャンネルでは外部アンテナ１１０を使用する。このような放送チャンネルとダイバーシティ受信に使用する受信アンテナの関係をテーブルとしてＲＡＭ２０７に保存しておけば、次回から同じチャンネルを受信する際には、この保存テーブルをそのまま利用することにより、図３〜図９に示したような処理フローを実施することなく、最適のアンテナ選択を短時間で設定することが可能となる。
【００６７】
ただし、デジタル放送受信装置本体の主電源操作が行われた場合には、デジタル放送受信装置の位置や向きが変えられた可能性が高いので、ＲＡＭ２０７のデータを使用せず、また保存データも一旦削除することが適切である。データ記憶用にＲＡＭのような揮発性メモリを利用することにより、主電源停止時には保存データが確実に消去されるので誤って不適切な制御情報を使うことがない。
【００６８】
図１０に示すフローチャートは、このようにＲＡＭ２０７に保存した制御情報を利用したダイバーシティ受信制御の処理フローを示している。まずステップＳ７０１で、ユーザ操作による選局チャンネル情報を読み込む。このチャンネル情報で、図１１に示したテーブルをＲＡＭ２０７から読み出す。ステップＳ７０２で、アンテナ切替情報が外部アンテナ１１０であった場合には、ステップＳ７０３〜Ｓ７０６によって、外部アンテナ１１０に接続されたチューナユニット１７０（Ｎ）の電源をオンするとともに、キャリアスイッチ部１４０（Ｎ）をオンし、ステップＳ７０７で選局処理を実施して放送受信を開始し処理を終了する。
【００６９】
ステップＳ７０２で読み出したＲＡＭ情報で、内蔵アンテナが選択されている場合は、ステップＳ７１１で内蔵アンテナに接続切替した後、ステップＳ７１２でＲＡＭ情報に基づき電源スイッチ部１６０（１）〜１６０（Ｎ）を制御するとともに、ステップＳ７１３でキャリアスイッチ部１４０（１）〜１４０（Ｎ）の制御を行い、ステップ７１４で選局処理後に放送受信を開始し処理を終了する。例えば、３チャンネルが選択された場合は、チューナユニット１７０（３）のみに電源を供給し、キャリアスイッチ部１４０（３）をオンにし、この出力キャリアのみを使用して復調を行うことになる。また、例えば４チャンネルが選択されると、チューナユニット１７０（３）、１７０（４）に電源が供給され、キャリアスイッチ部１４０（３）、１４０（４）がオンとなり、キャリア合成部２０１でこれら２つの出力キャリアが合成され、この合成キャリアで復調が行われる。
【００７０】
このように本実施の形態のデジタル放送受信装置によれば、放送電波の受信中に受信チャンネルを変更した場合でも、ダイバーシティ受信制御の過去の制御情報を利用するので確実、迅速に最適なダイバーシティ受信の設定が可能となる。また、制御情報はＲＡＭ等の揮発性メモリに記憶されているので、ユーザが主電源を切ってデジタル放送受信装置を他の場所へ移動させた場合にも、不適切な制御情報を使用することがない。
【００７１】
以上説明したように、本発明によれば、ダイバーシティ受信による安定な受信性能を維持しながら、必要最小限のチューナユニットのみに電源を供給することにより、消費電力を効果的に低減したデジタル放送受信装置を提供することができる。
【００７２】
なお、上記実施の形態では、個別キャリアや合成キャリアの品質評価パラメータとしてキャリアＣ／Ｎを利用したが、キャリアレベルを使えば検出回路等をより簡素化できる。また、品質評価パラメータとして復調部２０２で取得される受信誤り率等のパラメータを使用してもよい。この場合は、さらに信頼性の高いキャリア品質の評価が可能となる。
【００７３】
また、上記実施の形態では、キャリア品質評価のために個別キャリアＣ／Ｎ検出部と合成キャリアＣ／Ｎ検出部の２種類のキャリアＣ／Ｎ検出部を設けたが、合成キャリアＣ／Ｎ検出部を個別キャリアＣ／Ｎ検出に使用することも可能である。すなわち、各チューナユニットのキャリアスイッチ部を所定時間で切り替えて一巡させ、時分割で個別キャリアＣ／Ｎを検出するようにしてもよい。
【００７４】
また、上記実施の形態では、ダイバーシティ受信中に加えて、ダイバーシティ受信制御のためのキャリアＣ／Ｎの評価中も必要に応じてチューナユニットの電源制御を行うとして説明したが、この期間は比較的短時間であるので、キャリアＣ／Ｎの評価中は全チューナユニットに電源を供給しておき、ダイバーシティ受信のための制御情報を取得できた時点で電源を制御する（不要なチューナユニットの電源をオフする）ようにしてもよい。これにより、チューナユニットの電源スイッチを頻繁に切り替える必要がなく、制御を単純化することができる。
【産業上の利用可能性】
【００７５】
本発明は、アンテナ内蔵の可搬型のデジタル放送受信装置にとどまらずデジタル放送を受信する携帯型端末装置にも幅広く利用可能である。
【図面の簡単な説明】
【００７６】
【図１】本発明のデジタル放送受信装置の構成を示すブロック図
【図２】本発明の映像音声デコーダ部の具体的な構成図
【図３】本発明の第１の実施の形態におけるダイバーシティ受信制御の処理手順を示すフローチャート
【図４】本発明の第１の実施の形態におけるダイバーシティ受信制御の処理手順の他の例を示すフローチャート
【図５】本発明の第２の実施の形態におけるダイバーシティ受信制御の処理手順を示すフローチャート
【図６】本発明の第３の実施の形態におけるダイバーシティ受信制御の処理手順を示すフローチャート
【図７】本発明の第３の実施の形態におけるダイバーシティ受信制御の処理手順を示すフローチャート
【図８】本発明の第４の実施の形態におけるダイバーシティ受信制御の処理手順を示すフローチャート
【図９】本発明の第４の実施の形態におけるダイバーシティ受信制御の処理手順の他の例を示すフローチャート
【図１０】本発明の第５の実施の形態におけるダイバーシティ受信制御の処理手順を示すフローチャート
【図１１】本発明の第５の実施の形態における制御テーブルの例を示す図
【符号の説明】
【００７７】
１００（１）〜１００（Ｎ）    内蔵アンテナ
１１０    外部アンテナ
１２１    外部アンテナ接続端子
１２２    アンテナ入力切替部
１３０（１）〜１３０（Ｎ）    チューナ部
１４０（１）〜１４０（Ｎ）    キャリアスイッチ部
１５０（１）〜１５０（Ｎ）    個別キャリアＣ／Ｎ検出部
１６０（１）〜１６０（Ｎ）    電源スイッチ部
１７０（１）〜１７０（Ｎ）    チューナユニット
２０１    キャリア合成部
２０２    復調部
２０３    映像音声デコーダ部
２０４    合成キャリアＣ／Ｎ検出部
２０５    ＣＰＵ
２０６    システムバス
２０７    ＲＡＭ
２３１    誤り訂正部
２３２    ＴＳデコーダ部
２３３    ＡＶデコーダ部
【図１】
2012104863.tif 000003
【図２】
2012104863.tif 000004
【図３】
2012104863.tif 000005
【図４】
2012104863.tif 000006
【図５】
2012104863.tif 000007
【図６】
2012104863.tif 000008
【図７】
2012104863.tif 000009
【図８】
2012104863.tif 000010
【図９】
2012104863.tif 000011
【図１０】
2012104863.tif 000012
【図１１】
2012104863.tif 000013